【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
フェルトパネル（２，５２，１０２，１５２，２０２，２５２，３０２，３５２，４０２，４５２，５０２，５５２，６０２，６５２，７０２，７５２）を備えた壁要素（１，５１，１０１，１５１，２０１，２５１，３０１，３５１，４０１，４５１，５０１，５５１，６０１，６５１，７０１，７５１）であって、前記フェルトパネル（２，５２，１０２，１５２，２０２，２５２，３０２，３５２，４０２，４５２，５０２，５５２，６０２，６５２，７０２，７５２）は少なくとも２つのフェルト層を備え、少なくとも１つのフェルト層は少なくとも１つの上面に三次元構造を有している、壁要素において、
前記フェルトパネル（２，５２，１０２，１５２，２０２，２５２，３０２，３５２，４０２，４５２，５０２，５５２，６０２，６５２，７０２，７５２）は、上層（ＯＳ）として、平面フェルト層（１１，６１，１１１，１６１，２１１，２６１，３１１，３６１，４１１，５１１，５６１，６６１，７１１，７６１）を備え、
前記フェルトパネル（２，５２，１０２，１５２，２０２，２５２，３０２，３５２，４０２，４５２，５０２，５５２，６０２，６５２，７０２，７５２）は、下層（ＵＳ）として、平面フェルト層（１２，６２，１１２，１６２，２１２，２６２，３１２，３６２，５６２，６１２，６６２，７１２，７６２）を備え、
前記フェルトパネル（２，５２，１０２，１５２，２０２，２５２，３０２，３５２，４０２，４５２，５０２，５５２，６０２，６５２，７０２，７５２）は、中層（ＭＳ）として、少なくとも１つの波形フェルト層（２１，７１，１２１，１２２，１７１，１７２，２２１〜２２３，２７１〜２７３，３２１〜３２５，３７１〜３７５，５２２，６７１，６７２，７２１，７２２，７７１）を備え、
前記上層（ＯＳ）に隣接する前記波形フェルト層（２１，７１，１２１，１７１，２２１，２７１，３２１，３７１，６７１，７２１，７７１）は、上面（２１ａ）上において、波形の頂部（２１ｂ）によって形成されている上側頂点線（２１ｃ）又は頂点の領域にて前記上層（ＯＳ）に接続され、
前記下層（ＵＳ）に隣接する前記波形フェルト層（２１，７１，１２２，１７２，２２２，２７２，３２２，３７２，５２２，６７２，７２２，７７２）は、下面（２１ｄ）上において、波形の谷部（２１ｅ）によって形成されている下側頂点線（２１ｆ）又は頂点の領域にて前記下層（ＵＳ）に接続されていることを特徴とする壁要素。
【請求項２】
接触している２つ以上の波形フェルト層を備えたフェルトパネルにおいて、互いに接触している前記波形フェルト層は、それぞれの頂点線が平行な面内で延びており、かつ、互いに少なくとも２０°、特に９０°の角度をなしているような方向を向いていることを特徴とする、請求項１に記載の壁要素。
【請求項３】
前記フェルトパネル（２０２，２５２，３０２，３５２）は、中層（ＭＳ）として、少なくとも２つの波形フェルト層（２２１〜２２３，２７１〜２７３，３２１〜３２５，３７１〜３７５）を備え、前記波形フェルト層（２２１〜２２３，２７１〜２７３，３２１〜３２５，３７１〜３７５）同士の間には、平面フェルト層（２１３，２１４，２６３，２６４，３１３〜３１６，３６３〜３６６）が中間層（ＺＳ）としてそれぞれ配置されており、各波形フェルト層（２２１〜２２３，２７１〜２７３，３２１〜３２５，３７１〜３７５）は、波形の頂部によって形成されている上側頂点線（２２２ｅ）もしくは頂点の領域において、及び／又は、波形の頂部によって形成されている下側頂点線（２２１ｆ）又は頂点の領域において、それぞれが隣接する中間層又は複数の中間層（２１３，２１４，２６３，２６４，３１３〜３１６，３６３〜３６６）に接続されていることを特徴とする、請求項１に記載の壁要素。
【請求項４】
同じ平面フェルト層に接続されている波形フェルト層同士は、それぞれの頂点線が平行な面内で延びており、互いが少なくとも２０°、特に９０°の角度をなすような方向を向いていることを特徴とする、請求項３に記載の壁要素。
【請求項５】
前記フェルトパネルは、１０ｍｍから５０ｍｍの間、好ましくは２０ｍｍから４０ｍｍの間、特に３０ｍｍ前後の厚さを有していることを特徴とする、請求項１〜４のいずれか１項に記載の壁要素。
【請求項６】
前記波形フェルト層は、４ｍｍから２０ｍｍの間、好ましくは６ｍｍから１５ｍｍの間、特に８ｍｍ前後の厚さの平面フェルト層からプレス加工により製造されることを特徴とする、請求項１〜５のいずれか１項に記載の壁要素。
【請求項７】
前記波形フェルト層又は複数の波形フェルト層の前記波形の頂部同士の間、及び、前記波形フェルト層又は複数の波形フェルト層の前記波形の谷部同士の間には、空洞（Ｈ）が形成されていることを特徴とする、請求項１〜６のいずれか１項に記載の壁要素。
【請求項８】
前記フェルトパネルが少なくとも１つの島状領域（ＩＢ１，ＩＢ２，ＩＢ３）を備え、該領域内では、前記平面フェルト層と前記少なくとも１つの波形フェルト層が、全面において平らな状態で互いに重なって広がっており、特に全面で接合されていることを特徴とする、請求項７に記載の壁要素。
【請求項９】
前記島状領域は、全周囲にわたって閉鎖された周縁領域として構成されていることを特徴とする、請求項８に記載の壁要素。
【請求項１０】
前記フェルトパネルは、前記少なくとも１つの島状領域に隣接する嵩高領域における厚さが、前記少なくとも１つの島状領域における前記フェルトパネルの厚さよりも厚く、これらの厚さは各々、前記平面フェルト層のうちの１つの広がりに直交して測定されていることを特徴とする、請求項８に記載の壁要素。
【請求項１１】
前記島状領域は、前記フェルトパネルの周りに、その外縁において一区画のみに広がる周縁領域として構成されている、もしくは、前記複数の島状領域は、前記フェルトパネルの周りに、その外縁において数個の区画として互いに離間して配置されている複数の周縁領域として構成されていることを特徴とする、請求項８に記載の壁要素。
【請求項１２】
前記壁要素は前記フェルトパネルに加えて支持部を備えていることを特徴とする、請求項１〜１１のいずれか１項に記載の壁要素。
【請求項１３】
前記支持部は基部と少なくとも１つのロッドとを備えており、前記ロッドは前記フェルトパネルの前記空洞のうちの１つに適合して、前記フェルトパネルが前記支持部によって担持されるように前記ロッドを前記空洞に挿入可能であることを特徴とする、請求項１２に記載の壁要素。
【請求項１４】
前記支持部は少なくとも１つのロッドを備え、前記ロッドは、両側の端部において前記フェルトパネルから突出するように、前記空洞のうちの１つを通って延びることを特徴とする、請求項１２に記載の壁要素。
【請求項１５】
前記フェルト層同士は、接着剤を使用する接合加工によって、特に接着剤を使用する接着加工によって、及び／又は、接着剤を使用しない接合加工、特に溶接加工、好ましくは超音波溶接又は振動溶接によって、接続されていることを特徴とする、請求項１〜１４のいずれか１項に記載の壁要素。
【請求項１６】
フェルトパネルを備えた壁要素であって、前記フェルトパネルは少なくとも２つのフェルト層を備え、少なくとも１つのフェルト層は少なくとも１つの上面に三次元構造を有している、壁要素において、
前記壁要素はいくつかの押圧された箇所を有しており、前記押圧された箇所は、該押圧された箇所の領域内では全てのフェルト層が次々と重なって平らに広がるように構成されており、特に前記押圧された箇所の真ん中の領域は、全てのフェルト層を貫通するノッチの形態の開口を備えており、又は、
第１波形フェルト層と第２波形フェルト層はともに互いの形状に嵌まっており、隣接する区画における２つの前記フェルト層は、隣接する区画が異なる厚さを有するように、異なるプレス力を用いて接合されており、２つの前記フェルト層は特に、断面が台形状のフェルト層として形成されており、これら２つのフェルト層は特に平面上層と平面下層との間に配置され、シート状をなすように該平面上層及び平面下層に対して部分的に接合されており、又は、
断面が台形状のフェルト層が平面上層と平面下層との間に配置され、シート状をなすように該該平面上層及び平面下層に対して部分的に接着されており、又は、
断面が台形状の２つのフェルト層が、互いに平行に延びて断面が六角形である複数の空洞を形成するように、シート状をなすように部分的に接合されており、これら２つのフェルト層は特に平面上層と平面下層との間に配置され、シート状をなすように該平面上層及び平面下層に対して部分的に接合されており、断面が台形状の前記フェルト層の間には特に平面フェルト層が配置されて、中空の管状部を半分に分割しており、又は、
断面が台形状の少なくとも２つのフェルト層が、互いからずらして配置され、かつ／あるいは、互いの位置関係がねじれており、シート状をなすように互いに対して部分的に接合されており、前記断面が台形状のフェルト層は特に平面上層と平面下層との間に配置され、シート状をなすように該平面上層及び平面下層に対して部分的に接合されており、前記断面が台形状のフェルト層の少なくとも１つは特に開口を有しており、又は、
間に平面フェルト層が配置された、断面が台形状の少なくとも２つのフェルト層が、互いからずらして配置され、かつ／あるいは、互いの位置関係がねじれていており、シート状をなすように前記平面フェルト層に対して部分的に接合されており、前記断面が台形状のフェルト層は特に平面上層と平面下層との間に配置され、特にシート状をなすように該平面上層及び平面下層に対して部分的に接合されており、前記断面が台形状のフェルト層の少なくとも１つは特に開口を有していることを特徴とする、請求項１〜１５のいずれか１項に記載の壁要素。
【請求項１７】
フェルトパネルを備えた壁要素であって、前記フェルトパネルは少なくとも２つのフェルト層を備え、少なくとも１つのフェルト層は少なくとも１つの上面に三次元構造を有している、壁要素において、
前記壁要素はいくつかの押圧された箇所を有しており、前記押圧された箇所は、該押圧された箇所の領域内では全てのフェルト層が次々と重なって平らに広がるように構成されており、特に前記押圧された箇所の真ん中の領域は、全てのフェルト層を貫通するノッチの形態の開口を備えており、又は、
第１波形フェルト層と第２波形フェルト層はともに互いの形状に嵌まっており、隣接する区画における２つの前記フェルト層は、隣接する区画が異なる厚さを有するように、異なるプレス力を用いて接合されており、２つの前記フェルト層は特に、断面が台形状のフェルト層として形成されており、これら２つのフェルト層は特に平面上層と平面下層との間に配置され、シート状をなすように該平面上層及び平面下層に対して部分的に接合されており、又は、
断面が台形状のフェルト層が平面上層と平面下層との間に配置され、シート状をなすように該平面上層及び平面下層に対して部分的に接合されており、又は、
断面が台形状の２つのフェルト層が、互いに平行に延びて断面が六角形である複数の空洞を形成するように、シート状をなすように部分的に接合されており、これら２つのフェルト層は特に平面上層と平面下層との間に配置され、シート状をなすように該平面上層及び平面下層に対して部分的に接合されており、断面が台形状の前記フェルト層の間には特に平面フェルト層が配置されて、中空の管状部を半分に分割しており、又は、
断面が台形状の少なくとも２つのフェルト層が、互いからずらして配置され、かつ／あるいは、互いの位置関係がねじれており、シート状をなすように互いに対して部分的に接合されており、前記断面が台形状のフェルト層は特に平面上層と平面下層との間に配置され、シート状をなすように該平面上層及び平面下層に対して部分的に接合されており、前記断面が台形状のフェルト層の少なくとも１つは特に開口を有しており、又は、
間に平面フェルト層が配置された、断面が台形状の少なくとも２つのフェルト層が、互いからずらして配置され、かつ／あるいは、互いの位置関係がねじれており、シート状をなすように前記平面フェルト層に対して部分的に接合されており、前記断面が台形状のフェルト層は特に平面上層と平面下層との間に配置され、特にシート状をなすように該平面上層及び平面下層に対して部分的に接合されており、前記断面が台形状のフェルト層の少なくとも１つは特に開口を有している
ことを特徴とする、壁要素。